(57)【特許請求の範囲】
【請求項１】
刃体と、
前記刃体の両側面に設けられた支持部と、
前記刃体の両側面を挟むとともに前記刃先をその幅方向において部分的に被覆する被覆部材と、を備え、
前記被覆部材は、前記刃先を被覆するとともに剃毛時に皮膚を同刃先から保護する保護部と、前記保護部に隣接して設けられて前記刃先を露出させる露出部とを有し、
前記支持部の先端は、前記幅方向に延びる前記露出部の縁によって形成され、前記刃体の刃先と前記刃体の両側面から同刃先に向けて傾斜した傾斜面の基端との間に位置し、剃毛時に前記刃体を挟んで皮膚とは反対側に位置する前記支持部の先端は、前記刃先が毛に接するに先立ち該毛を押圧するように設けられている、
剃刀刃。
【請求項２】
前記刃先から前記支持部の先端までの距離が同刃先の幅方向における位置によって異なっている、
請求項１に記載の剃刀刃。
【発明の詳細な説明】
【技術分野】
【０００１】
本発明は、剃刀刃、特に例えば理容室において顔剃りなどに使用される剃刀の刃に関する。
【背景技術】
【０００２】
この種の剃刀刃としては、刃体の刃先をその幅方向において部分的に被覆する被覆部材を備え、剃毛時に刃先から皮膚を保護するものがある。
こうした剃刀刃としては、被覆部材として刃体に巻き付けられた線材を備えるものや、刃先側において折り曲げられて刃体の両側面を挟む薄板を備えるものがある（後者については例えば特許文献１参照）。
【０００３】
ところで、髭の深剃りを行なうためには、皮膚に対して毛を起こすことにより刃先が毛の根本を容易に捉えるようにすることが重要な要素の一つである。そのためには、指などで皮膚を引っ張ることにより同皮膚にテンションを与えることが有効である。
【０００４】
特許文献２には、替刃を挟持するホルダにおける皮膚に接触する部分に、皮膚を窪ませるために外方に対し円弧状に膨出する膨出部が設けられた剃刀が開示されている。特許文献２に記載の剃刀によれば、刃先が毛に接する直前にホルダの膨出部によって皮膚が押圧されることにより、皮膚に対してテンションが与えられる。
【０００５】
また、特許文献３には、２枚の刃体が重ねられた剃刀が開示されている。特許文献３に記載の剃刀によれば、剃毛時に、まず、上側の刃体によって毛が切り込まれるとともに該毛が引っ張られる。次に、引っ張られた状態の毛が下側の刃体によって切断される。
【先行技術文献】
【特許文献】
【０００６】
【特許文献１】特許第３３９３２８９号公報
【特許文献２】特許第４７８６０１９号公報
【特許文献３】実開昭４９−５０１９３号公報
【発明の概要】
【発明が解決しようとする課題】
【０００７】
ところで、特許文献１や特許文献２に記載されるものを含む従来の剃刀においては、剃毛時の最大荷重が大きく、このことが剃り心地を向上させる上で改善の余地を残すものとなっている。
【０００８】
また、特許文献３に記載の剃刀の場合、下側の刃体によって毛が切断される前に、上側の刃体によって毛が切断されるおそれがある。そのため、髭などの深剃りを適切に行なうことができないことがある。また、刃体には、耐久性や剃り心地を向上させる目的で化学処理が施されている。そのため、高価な刃体を複数重ね合わせたものでは、製造コストが増大するといった別の問題も生じる。
【０００９】
本発明の目的は、簡易な構成によって剃り心地を向上させることのできる剃刀刃を提供することにある。
【課題を解決するための手段】
【００１０】
上記目的を達成するための剃刀刃は、刃体と、前記刃体の少なくとも一方の側面に固定された支持部と、を備え、前記支持部は、剃毛時に前記刃体を挟んで皮膚とは反対側に位置するものであり、前記支持部の先端は、前記刃体の刃先と同じ位置または同刃先よりも後退した位置であって、前記刃先が毛に接するに先立ち該毛を押圧する位置に設けられている。
【００１１】
剃毛時には、皮膚に対して刃先を接触させつつ替刃を同皮膚に沿ってスライドさせる。このとき、上記構成を備える剃刀刃によれば、刃先が毛に接するに先立ち支持部の先端が該毛を押圧する。このため、該毛は、その毛根を支持する皮膚と替刃の支持部とによって両側から引っ張られるとともに安定した姿勢にて刃体により切断される。このことにより、該毛の切断面は平面状になりやすい。したがって、剃毛時の最大荷重を低減することができる。また、支持部は毛を支持するだけのものであり、支持部によって毛が切断されるおそれがない。したがって、簡易な構成によって剃り心地を向上させることができる。
【００１２】
上記剃刀刃において、前記支持部は前記刃体の両側面に設けられている、といった態様が好ましい。
剃刀においては、替刃の一方の側面をホルダの表面側及び裏面側のいずれの側に向けても同替刃を同ホルダに装着することができるようになっていることが多い。
【００１３】
上記態様によれば、支持部が刃体の両側面に設けられているため、替刃の一方の側面をホルダの表面側及び裏面側のいずれの側に向けて替刃をホルダに取り付けた場合であっても、剃毛時に支持部が刃体を挟んで皮膚とは反対側に位置することとなる。したがって、ホルダに対して替刃を装着する向きにかかわらず上記効果を奏することができる。
【００１４】
上記剃刀刃において、前記刃体の両側面を挟むとともに前記刃先をその幅方向において部分的に被覆する被覆部材を備え、前記被覆部材は、前記刃先を被覆するとともに剃毛時に皮膚を同刃先から保護する保護部と、前記保護部に隣接して設けられて前記刃先を露出させる露出部とを有し、前記支持部の先端は前記幅方向に延びる前記露出部の縁によって形成されている、といった態様が好ましい。
【００１５】
同態様によれば、被覆部材の上記幅方向に延びる露出部の縁を、刃先が毛に接するに先立ち該毛を押圧する位置に設定することにより、支持部を形成することができる。したがって、被覆部材によって、皮膚を刃先から保護する効果に加えて、簡易な構成によって剃り心地を向上させる効果を奏することができる。
【００１６】
上記剃刀刃において、前記刃先から前記支持部の先端までの距離が同刃先の幅方向における位置によって異なっている、といった態様が好ましい。
同態様の剃刀刃には、刃先から支持部の先端までの距離（以下、単に距離と称する。）が長い部位と短い部位とが存在することとなる。このため、製造時の個体差が生じたとしても、上記長い部位及び短い部位のいずれかによって毛が押圧されることとなる。したがって、簡易な構成によって剃り心地を向上させることができるといった効果を一層確実に奏することができる。
【発明の効果】
【００１７】
本発明によれば、簡易な構成によって剃り心地を向上させることができる。
【図面の簡単な説明】
【００１８】
【図１】替刃式剃刀の一実施形態について剃刀の斜視図。
【図２】（ａ）は同実施形態の替刃の斜視図、（ｂ）は（ａ）の部分拡大図。
【図３】図２（ｂ）の３−３線に沿った断面図。
【図４】同実施形態における替刃の刃先を中心とした平面図。
【図５】（ａ）は折り曲げられる前の被覆部材の斜視図、（ｂ）は（ａ）の部分拡大図。
【図６】（ａ）は同実施形態の替刃の作用を説明するための断面図、（ｂ）は（ａ）の部分拡大図。
【図７】比較例の替刃の作用を説明するための断面図。
【図８】検証試験の方法を説明するための治具などの断面図。
【図９】（Ａ）〜（Ｆ）は、固定治具に固定された釣り糸と本実施形態の替刃との位置関係を示す図。
【図１０】替刃の位置と同替刃に作用する荷重との関係を示すグラフであって、本実施形態の替刃を用いた場合の測定結果を示すグラフ。
【図１１】（Ａ）〜（Ｆ）は、固定治具に固定された釣り糸と比較例の替刃との位置関係を示す図。
【図１２】替刃の位置と同替刃に作用する荷重との関係を示すグラフであって、比較例の替刃を用いた場合の測定結果を示すグラフ。
【図１３】替刃の位置と同替刃に作用する荷重との関係を示すグラフであって、本実施形態の替刃を用いた場合の測定結果と比較例の替刃を用いた場合の測定結果とを併せ示すグラフ。
【図１４】本実施形態の替刃により切断された釣り糸の写真。
【図１５】比較例の替刃により切断された釣り糸の写真。
【図１６】変形例の替刃の刃先を中心とした平面図。
【図１７】他の変形例の替刃の刃先を中心とした平面図。
【図１８】他の変形例の替刃の刃先を中心とした平面図。
【図１９】他の変形例の替刃の断面図。
【発明を実施するための形態】
【００１９】
以下、図１〜図１５を参照して、剃刀刃を替刃式剃刀の替刃として具体化した一実施形態について説明する。
図１に示すように、替刃式剃刀（以下、剃刀１０と称する。）は、理容室において顔剃りなどに使用されるものであり、ホルダ２０と替刃３０とを備えている。
【００２０】
ホルダ２０は、長尺状のホルダ本体２１と、ホルダ本体２１の基端部に固定された柄部材２２と、ホルダ本体２１の先端部に形成された固定挟持部２３の図示しない内側面に対向して設けられた可動挟持板２４とを備えている。可動挟持板２４は、固定挟持部２３に対してスライド可能に設けられており、固定挟持部２３と可動挟持板２４とによって替刃３０が挟持されている。
【００２１】
図２（ａ），（ｂ）及び図３に示すように、替刃３０は、１枚の刃体４０と、刃体４０の両側面を挟むとともに刃先４１をその幅方向Ｗにおいて部分的に被覆する１つの被覆部材５０とにより構成されている。
【００２２】
図２（ａ）に示すように、替刃３０は、基本的に左右対称の形状を有しており、替刃３０の一方の側面をホルダ２０の表面側及び裏面側のいずれの側に向けても同替刃３０を同ホルダ２０に装着することができる。
【００２３】
刃体４０は全体が略矩形状をなすステンレス鋼板により形成されており、図２（ａ），（ｂ）及び図３における上端には刃先４１が形成されている。本実施形態では刃体４０（刃先４１を除く）の厚さが０．１５ｍｍとされている。
【００２４】
被覆部材５０は、刃体４０の両側面を覆う一対のプレート部５１と、刃先４１を被覆するとともに剃毛時に皮膚の表面を同刃先４１から保護する複数の保護部５２と、保護部５２に隣接して設けられて刃先４１を露出させる露出部５４とを有している。
【００２５】
被覆部材５０は、図５（ａ）に示すステンレス鋼板を刃先４１側において半分に折り曲げることにより形成される。図５（ａ），（ｂ）に示すように、ステンレス鋼板の折り曲げられる部分には、幅方向Ｗに沿って延びる複数の透孔５３が形成されており、透孔５３同士の間には、一対のプレート部５１を連結する前記保護部５２が形成されている。各透孔５３によって上記露出部５４が形成される。
【００２６】
本実施形態では被覆部材５０の厚さが０．１ｍｍとされている。また、被覆部材５０はスポット溶接により刃体４０に対して固定されている。
図２（ａ），（ｂ）及び図４に示すように、露出部５４の縁は上記幅方向Ｗに延びるとともに波形状を有している。このため、刃先４１の幅方向Ｗにおける位置によって刃先４１から露出部５４の縁までの距離ｄが異なっている。
【００２７】
図４に示すように、本実施形態では、上記距離ｄの最小値ｄｍｉｎが０．１５ｍｍとされ、上記距離ｄの最大値ｄｍａｘが０．３０ｍｍとされている。また、ホルダ２０により替刃３０が挟持された装着状態において、刃先４１及び支持部３４はホルダ２０の外部に露出している。
【００２８】
次に、本実施形態の作用について説明する。
剃毛時には、皮膚Ｓに対して刃先４１を接触させつつ替刃３０を同皮膚Ｓに沿ってスライドさせる。
【００２９】
このとき、図６（ａ），（ｂ）に示すように、本実施形態の替刃３０を備えた剃刀１０によれば、刃先４１が毛Ｈに接するに先立ち、刃体４０を挟んで皮膚Ｓとは反対側に位置する露出部５４の縁、すなわち支持部３４の先端が該毛Ｈを押圧する。このため、該毛Ｈは、その毛根Ｈ１を支持する皮膚Ｓと替刃３０の支持部３４とによって両側から引っ張られるとともに安定した姿勢にて刃体４０により切断される。このことにより、該毛Ｈの切断面は平面状になりやすい。したがって、剃毛時の最大荷重Ｆｍａｘを低減することができる。なお、図６（ａ），（ｂ）において、刃体４０から毛Ｈに作用する力をＦ１にて示し、支持部３４から毛Ｈに作用する力をＦ２にて示している。
【００３０】
また、支持部３４は毛Ｈを支持するだけのものであり、支持部３４によって毛Ｈが切断されるおそれがない。なお、同図においては、被覆部材５０の保護部５２の図示を省略している。
【００３１】
これに対して、図７に示すように、比較例の替刃１３０を備えた剃刀１１０は、支持部３４を備えていないため、毛Ｈが不安定な姿勢にて切断される。このことにより、該毛Ｈの切断面は曲面状になりやすい。そのため、剃毛時の最大荷重Ｆｍａｘが本実施形態の替刃３０に比べて大きくなる。なお、図７において、刃体１４０から毛Ｈに作用する力をＦ０にて示している。
【００３２】
従来一般の被覆部材を備える替刃の多くは、刃先から露出部の縁までの距離が１ｍｍ以上とされている。しかしながら、こうした従来の替刃の場合、露出部の縁はホルダ内に位置するものであり、毛Ｈを押圧する機能を有するものではない。
【００３３】
刃先４１から露出部５４の縁までの距離ｄとしては、０．４０ｍｍ以下が好ましく、０．３５ｍｍ以下がより好ましい。なお、本願発明の目的の範囲内において、これらの数値を適宜変更することができる。
【００３４】
次に、図８〜図１３を参照して、本実施形態の替刃３０による剃毛時の最大荷重Ｆｍａｘの低減効果を検証するための試験及びその結果について説明する。この検証試験では、直径が０．１０ｍｍ〜０．１５ｍｍの人間の髭に対応するように、直径が０．１４５ｍｍの釣り糸６１を用いている。
【００３５】
図８に示すように、ＡＢＳ樹脂製の固定治具６０に釣り糸６１の基端部を固定し、同固定治具６０の表面に沿って替刃３０をスライドさせることにより同釣り糸６１を切断するとともに、替刃３０の位置及び替刃３０に作用する荷重を測定した。替刃３０の移動速度を１．０ｍｍ／ｍｉｎとした。固定治具６０の表面から刃先４１までの距離を０．１５ｍｍとした。固定治具６０の表面に対する替刃３０の傾斜角度を６０度とした。なお、釣り糸６１はＳｉｌｖｅｒ  Ｔｈｒｅａｄ社製のＴｒｏｕｔ３ｌｂである。
【００３６】
また、比較例の替刃１３０についても同様な測定を行なった。
次に、図９及び図１０を参照して、本実施形態の替刃３０を用いた場合の測定結果について説明する。図１０のグラフ中の矢印Ａ〜Ｆの位置は、図９（Ａ）〜（Ｆ）の位置にそれぞれ対応している。
【００３７】
図９（Ａ）〜（Ｃ）に示すように、替刃３０をスライドさせると、まずは、支持部３４のみが釣り糸６１を押圧する。このとき、図１０に矢印Ａ〜Ｃにて示すように、替刃３０のスライド量の増大に伴って替刃３０に作用する荷重は緩やかに増大するようになる。
【００３８】
続いて、図９（Ｃ）〜（Ｅ）に示すように、支持部３４によって釣り糸６１が押圧されつつ、刃先４１が釣り糸６１の根本に切り込まれると、図１０に矢印Ｃ〜Ｅにて示すように、替刃３０のスライド量の増大に伴って替刃３０に作用する荷重がそれまでよりも急に増大するようになる。
【００３９】
また、図９（Ｅ）及び図１０の矢印Ｅに示すように、釣り糸６１が切断される直前において荷重は最大となる。
その後、図９（Ｅ），（Ｆ）に示すように、釣り糸６１が切断されると、図１０に矢印Ｅ，Ｆにて示すように、替刃３０には荷重がほとんど作用しなくなる。
【００４０】
このときの釣り糸６１の切断面は、図１４の左端に示すように略平面状となった。これは、釣り糸６１が、その基端を支持する固定治具６０と替刃３０の支持部３４とによって両側から引っ張られるとともに安定した姿勢にて刃体４０により切断されるためであるといえる。
【００４１】
次に、図１１及び図１２を参照して、比較例の替刃１３０を用いた場合の測定結果について説明する。図１２のグラフ中の矢印Ａ〜Ｆの位置は、図１１（Ａ）〜（Ｆ）の位置にそれぞれ対応している。
【００４２】
図１１（Ａ），（Ｂ）に示すように、替刃１３０をスライドさせると、刃先１４１が釣り糸６１に接するまでは、図１２に矢印Ａ，Ｂにて示すように、替刃１３０に作用する荷重はほとんど変化しない。
【００４３】
図１１（Ｂ）〜（Ｅ）に示すように、刃先１４１が釣り糸６１の根本に切り込まれると、図１２に矢印Ｂ〜Ｅにて示すように、替刃１３０のスライド量の増大に伴って替刃１３０に作用する荷重がそれまでよりも急に増大するようになる。
【００４４】
図１１（Ｅ）及び図１２の矢印Ｅにて示すように、釣り糸６１が切断される直前において荷重が最大となる。
その後、図１１（Ｅ），（Ｆ）に示すように、釣り糸６１が切断されると、図１２に矢印Ｅ，Ｆにて示すように、替刃１３０には荷重がほとんど作用しなくなる。
【００４５】
このときの釣り糸６１の切断面は、図１５の左端に示すように曲面状となった。これは、刃体１４０により釣り糸６１が切断される際に釣り糸６１の姿勢が安定しないためであるといえる。
【００４６】
図１３に示すように、本実施形態の替刃３０によれば、比較例の替刃１３０に比べて釣り糸６１の切断に要する最大荷重Ｆｍａｘが大幅に低減されることが検証された。
ちなみに、替刃３０，１３０の互いに異なる５つの位置で釣り糸６１の切断に要する最大荷重Ｆｍａｘをそれぞれ測定し、それらの平均値を算出した。その結果、本実施形態の替刃３０を用いた場合の最大荷重Ｆｍａｘの平均値が２９．７ｇｆであったのに対して、比較例の替刃１３０を用いた場合の最大荷重Ｆｍａｘの平均値は５６．８ｇｆであった。したがって、本実施形態の替刃３０によれば、比較例の替刃１３０に比べて最大荷重Ｆｍａｘを約４８％低減することができるといえる。
【００４７】
以上説明した本実施形態に係る剃刀刃によれば、以下に示す効果が得られるようになる。
（１）替刃３０は、刃体４０と刃体４０の側面に固定された支持部３４とを備えている。支持部３４は、剃毛時に刃体４０を挟んで皮膚とは反対側に位置するものであり、支持部３４の先端は、刃先４１よりも後退した位置であって、刃先４１が毛Ｈに接するに先立ち該毛Ｈを押圧する位置に設けられている。
【００４８】
こうした構成によれば、剃毛時の最大荷重Ｆｍａｘを低減することができる。また、支持部３４は毛Ｈを支持するものであり、支持部３４によって毛Ｈが切断されるおそれがない。したがって、簡易な構成によって剃り心地を向上させることができる。
【００４９】
また、剃毛に要する荷重を低減することができることから、刃先４１の耐久性を向上させることができる。
（２）支持部３４が刃体４０の両側面に設けられているため、替刃３０の一方の側面をホルダ２０の表面側及び裏面側のいずれの側に向けて替刃３０をホルダ２０に取り付けた場合であっても、剃毛時に支持部３４が刃体４０を挟んで皮膚とは反対側に位置することとなる。したがって、ホルダ２０に対して替刃３０を装着する向きにかかわらず上記効果（１）を奏することができる。
【００５０】
（３）支持部３４の先端は被覆部材５０の露出部５４の縁によって形成されている。
こうした構成によれば、被覆部材５０における露出部５４の縁を、刃先４１が毛Ｈに接するに先立ち該毛Ｈを押圧する位置に設定することにより、支持部３４を形成することができる。したがって、被覆部材５０によって、皮膚を刃先４１から保護する効果に加えて、上記効果（１）を奏することができる。
【００５１】
（４）替刃３０は保護部５２を有する被覆部材５０を備えている。このため、剃毛時に保護部５２が皮膚Ｓ上を滑ることとなり、剃毛を円滑に行なうことができる。また、皮膚Ｓに対して刃先４１が横滑りしても皮膚Ｓを刃先４１から保護することができる。
【００５２】
（５）露出部５４の縁は幅方向Ｗに延びるとともに波形状を有しており、刃先４１から露出部５４の縁までの距離ｄが刃先４１の幅方向における位置によって異なっている。
こうした構成によれば、替刃３０には、刃先４１から支持部３４の先端までの距離ｄが長い部位と短い部位とが存在することとなる。このため、製造時の個体差が生じたとしても、上記長い部位及び短い部位のいずれかによって毛Ｈが押圧されることとなる。したがって、簡易な構成によって剃り心地を向上させることができるといった効果を一層確実に奏することができる。
【００５３】
（６）剃刀１０は、替刃３０と、刃先４１及び支持部３４を露出させた状態で替刃３０を挟持するホルダ２０と、を備えている。
こうした構成によれば、上記効果（１）を確実に奏することができる。
【００５４】
＜変形例＞
なお、上記実施形態は、例えば以下のように変更することもできる。
・上記実施形態では、露出部５４の縁を波形状にしたが、図１６に示すように、露出部５４の縁を刃先４１に向けて直交する辺を有する凹凸状にすることもできる。また、図１７に示すように、露出部５４の縁を刃先４１に向けて傾斜した辺を有する凹凸状、すなわち台形状にすることもできる。また、図１８に示すように、露出部５４の縁を直線状にすることもできる。図１８に示す変形例においては、例えば、刃先４１から露出部５４の縁までの距離ｄを上記実施形態において例示した最小値ｄｍｉｎと最大値ｄｍａｘとの間に含まれるように設定することが好ましい。
【００５５】
・支持部３４は被覆部材５０の露出部５４の縁によって形成されるものに限定されない。被覆部材５０を備えない替刃の場合には、刃体４０の側面に支持部として機能する板材をスポット溶接や接着剤などにより固定すればよい。
【００５６】
・支持部３４は刃体４０の両側面に設けられるものに限定されず、刃体４０の少なくとも一方の側面に固定されていればよい。
・支持部３４はステンレス鋼によって形成されるものに限定されず、アルミニウムなどの他の金属材料や、硬質樹脂材料、アモルファス（非晶質）材料などによって形成されるものであってもよい。
【００５７】
・上記実施形態では、理容室において使用される業務用の剃刀１０の替刃３０について例示したが、例えば長柄剃刀やＴ型剃刀などの一般用の剃刀の刃として具体化することもできる。また、剃刀刃はホルダに対して着脱可能な替刃に限定されるものではなく、ホルダに対して着脱不能なものであってもよい。
【００５８】
・上記実施形態では、支持部３４の先端を刃先４１よりも後退した位置に設定したが、図１９に示すように、支持部３４の先端を刃先４１と同じ位置に設定することもできる。この場合であっても、剃毛時の最大荷重を低減することができ、剃り心地を向上させることができる。
【符号の説明】
【００５９】
１０，１１０…剃刀、２０…ホルダ、２１…ホルダ本体、２２…柄部材、２３…固定挟持部、２４…可動挟持板、３０，１３０…替刃、３４…支持部、４０，１４０…刃体、４１，１４１…刃先、５０…被覆部材、５１…プレート部、５２…保護部、５３…透孔、５４…露出部、６０…固定治具、６１…釣り糸、Ｈ…毛、Ｈ１…毛根、Ｓ…皮膚。
【図１】
0006379068.tif 000002
【図２】
0006379068.tif 000003
【図３】
0006379068.tif 000004
【図４】
0006379068.tif 000005
【図５】
0006379068.tif 000006
【図６】
0006379068.tif 000007
【図７】
0006379068.tif 000008
【図８】
0006379068.tif 000009
【図９】
0006379068.tif 000010
【図１０】
0006379068.tif 000011
【図１１】
0006379068.tif 000012
【図１２】
0006379068.tif 000013
【図１３】
0006379068.tif 000014
【図１４】
0006379068.tif 000015
【図１５】
0006379068.tif 000016
【図１６】
0006379068.tif 000017
【図１７】
0006379068.tif 000018
【図１８】
0006379068.tif 000019
【図１９】
0006379068.tif 000020